(57)【要約】【課題】  強度を過剰に低下せしめることなく、そしてまた既存の装着装置の種々の構成要素を交換する必要を回避して、成形に使用する合成樹脂量を大幅に低減することができる合成樹脂製容器蓋を提供する。【解決手段】  スカート壁（６、１０６、２０６）の外周面に周方向に間隔をおいて複数個の凹部（４２，１４２，２４２）を配設し、凹部の各々をスカート壁の主部（１０、１１０，２１０）の上端部から周方向破断ライン（８，１０８）を超えてタンパーエビデント裾部（１２、１１２）まで軸線方向に延在する形態にせしめる【選択図】          図１
2005320055.tif 000002
【特許請求の範囲】
【請求項１】
天面壁と該天面壁の周縁から垂下する筒状スカート壁とを具備し、該スカート壁には周方向に延在する周方向破断ラインが形成されており、該スカート壁は該周方向破断ラインよりも上方の主部と該周方向破断ラインよりも下方のタンパーエビデント裾部とに区画されている、合成樹脂製容器蓋において、
該スカート壁の外周面には、周方向に間隔をおいて配設された複数個の凹部が配設されており、該凹部の各々は、該主部の上端部から該周方向破断ラインを超えて該タンパーエビデント裾部まで軸線方向に延在せしめられている、ことを特徴とする合成樹脂製容器蓋。
【請求項２】
該凹部は周方向に等間隔をおいて３乃至１２個形成されている、請求項１記載の合成樹脂製容器蓋。
【請求項３】
該タンパーエビデント裾部の内周面には半径方向内方に向かって上方に傾斜して突出する係止片が配設されており、該係止片の下面にも凹部が配設されている、請求項１又は２記載の合成樹脂製容器蓋。
【請求項４】
該係止片は周方向に間隔をおいて複数個配設されており、該係止片の各々の下面には凹部が周方向に間隔をおいて複数個配設されている、請求項１から３までのいずれかに記載の合成樹脂製容器蓋。
【請求項５】
該スカート壁の外周面に配設された該凹部には該主部から該周方向破断ラインを超えて該タンパーエビデント裾部まで延びる少なくとも１個の突条が配設されている、請求項１から４までのいずれかに記載の合成樹脂製容器蓋。
【請求項６】
該スカート壁の該主部の内周面下部にも、周方向に間隔をおいて複数個の凹部が配設されており、該スカート壁の外周面に配設された該凹部と該スカート壁の内周面に配設された該凹部とは周方向に変位せしめて配置されており、該スカート壁の外周面に配設された該凹部と該スカート壁の内周面に配設された該凹部とが重なり合うことはない、請求項１から５までのいずれかに記載の合成樹脂製容器蓋。
【発明の詳細な説明】
【技術分野】
【０００１】
本発明は、合成樹脂製容器蓋、更に詳しくは天面壁とこの天面壁の周縁から垂下する筒状スカート壁とを具備し、スカート壁には周方向に延在する周方向破断ラインが形成されていて、スカート壁は周方向破断ラインよりも上方の主部と周方向破断ラインよりも下方のタンパーエビデント裾部とに区画されている形態の合成樹脂製容器蓋に関する。
【背景技術】
【０００２】
飲料用容器のための容器蓋として、下記特許文献１に開示されている如く、ポリエチレン、ポリプロピレンの如きポリオレフィン系合成樹脂或いはその他の合成樹脂から形成された合成樹脂製容器蓋が広く実用に供されている。かかる合成樹脂製容器蓋は、天面壁とこの天面壁の周縁から垂下する筒状スカート壁とを具備している。スカート壁には周方向に延在する周方向破断ラインが形成されており、スカート壁は周方向破断ラインよりも上方の主部と周方向破断ラインよりも下方のタンパーエビデント裾部とに区画されている。通常、主部の内周面には雌螺条が形成されており、タンパーエビデント裾部の内周面には周方向に間隔をおいて複数個の係止片が配設されている。
【特許文献１】特開２００２−１７３１５７号公報
【発明の開示】
【発明が解決しようとする課題】
【０００３】
而して、上述したとおりの容器蓋においては、成形に使用する合成樹脂量を可及的に低減せしめ、これによって製造コストを低下すると共に、冷却に要する時間を減少せしめて製造効率を上昇せしめることが望まれる。そして、成形に使用する合成樹脂量を低減せしめるためには、スカート壁及び／又は天面壁の厚さを減少することが意図される。しかしながら、単にスカート壁及び／又は天面壁の厚さを減少せしめると、（１）強度が過剰に低下する、（２）スカート壁の内径は容器の口頸部に態様する寸法であることが必要であり、従ってスカート壁の厚さを低減せしめるとスカート壁の外径が減少し、これに起因して容器蓋を容器の口頸部に装着するための既存の装着装置の種々の構成要素を交換しなければならない、という別個の問題が発生する。
【０００４】
本発明は上記事実に鑑みてなされたものであり、その主たる技術的課題は、強度を過剰に低下せしめることなく、そしてまた既存の装着装置の種々の構成要素を交換する必要を回避して、成形に使用する合成樹脂量を大幅に低減することができる、新規且つ改良された合成樹脂製容器蓋を提供することである。
【課題を解決するための手段】
【０００５】
本発明者等は、鋭意検討の結果、スカート壁の外周面に周方向に間隔をおいて複数個の凹部を配設し、凹部の各々をスカート壁の主部の上端部から周方向破断ラインを超えてタンパーエビデント裾部まで軸線方向に延在する形態にせしめることによって、上記主たる技術的課題を達成することができることを見出した。
【０００６】
即ち、本発明によれば、上記主たる技術的課題を達成する合成樹脂製容器蓋として、天面壁と該天面壁の周縁から垂下する筒状スカート壁とを具備し、該スカート壁には周方向に延在する周方向破断ラインが形成されており、該スカート壁は該周方向破断ラインよりも上方の主部と該周方向破断ラインよりも下方のタンパーエビデント裾部とに区画されている、合成樹脂製容器蓋において、
該スカート壁の外周面には、周方向に間隔をおいて配設された複数個の凹部が配設されており、該凹部の各々は、該主部の上端部から該周方向破断ラインを超えて該タンパーエビデント裾部まで軸線方向に延在せしめられている、ことを特徴とする合成樹脂製容器蓋が提供される。
【０００７】
該凹部は周方向に等間隔をおいて３乃至１２個形成されているのが好適である。該タンパーエビデント裾部の内周面には半径方向内方に向かって上方に傾斜して突出する係止片が配設されている場合には、該係止片の下面にも凹部が配設されているのが好適である。該係止片が周方向に間隔をおいて複数個配設されている場合には、該係止片の各々の下面に凹部が周方向に間隔をおいて複数個配設されているのが好適である。好ましくは、該スカート壁の外周面に配設された該凹部には該主部から該周方向破断ラインを超えて該タンパーエビデント裾部まで延びる少なくとも１個の突条が配設されている。該スカート壁の該主部の内周面下部にも、周方向に間隔をおいて複数個の凹部が配設されており、該スカート壁の外周面に配設された該凹部と該スカート壁の内周面に配設された該凹部とは周方向に変位せしめて配置されており、該スカート壁の外周面に配設された該凹部と該スカート壁の内周面に配設された該凹部とが重なり合うことはないのが好ましい。
【発明の効果】
【０００８】
本発明の合成樹脂製容器蓋においては、スカート壁全体の厚さを低減せしめるのではなくて、スカート壁の外周面に周方向に間隔をおいて主部の上端部から周方向破断ラインを超えてタンパーエビデント裾部まで延在する凹部を形成しているので、スカート壁の強度低下を充分に回避乃至抑制して、成形に使用する合成樹脂量を大幅に低減することができる。そしてまた、凹部が形成されていない部位における外径は不変であるので、既存の装着装置の種々の構成要素を交換する必要は回避される。更に、スカート壁の外周面に周方向に間隔をおいて複数個の凹部が形成されることに起因して、容器蓋の外観が斬新なものになると共に、容器蓋を回転せしめるためにスカート壁の外周面に指を掛けた時の把持感覚が改善され滑りが充分に防止される。更にまた、凹部は主部の上端部から周方向破断ラインを超えてタンパーエビデント裾部まで延在せしめられている故に、容器の口頸部に係止されているタンパーエビデント裾部に対して主部が幾分かでも回動せしめられると、周方向破断ラインを境界にして凹部に周方向のずれが生成される。従って、タンパーエビデント特性も改善される。
【発明を実施するための最良の形態】
【０００９】
以下、本発明に従って構成された合成樹脂製容器蓋の好適実施形態を図示している添付図面を参照して、更に詳述する。
【００１０】
図１及び図２を参照して説明すると、ポリエチレン又はポリプロピレンの如きポリオレフィン系合成樹脂或いはその他の適宜の合成樹脂から形成することができる、全体を番号２で示す本発明に従って構成された容器蓋は、円形天面壁４とかかる天面壁４の周縁から垂下する略円筒形状のスカート壁６とを具備している。スカート壁６には周方向に延在する周方向破断ライン８が形成されており、スカート壁６は周方向破断ライン８よりも上方の主部１０と周方向破断ライン８よりも下方のタンパーエビデント裾部１２とに区画されている。図２から明確に理解される如く、スカート壁６の内周面には下方を向いた環状肩面１４が形成されており、そしてかかる環状肩面１４から下方に延びる比較的短い突条１６が周方向に間隔をおいて複数個形成されている。上記周方向破断ライン８は、突条１６の軸線方向上部において、スカート壁６の外周面から切断刃（図示していない）を作用せしめ、突条１６の少なくとも一部を残留せしめてスカート壁６を切断することによって形成されている。突条１６の切断されることなく残留せしめられた部分が所謂橋絡部を構成し、タンパーエビデント裾部１２は橋絡部を介して主部１０に接続されている。
【００１１】
スカート壁６の主部１０の外周面の主部は実質上円筒形状であるが、主部１０の外周面の下部には円錐台形状部１８が配設されている。タンパーエビデント裾部１２の外周面上端部は実質上円筒形状であるが、かかる上端部よりも下方の部分は円錐台形状である。スカート壁６の主部１０及びタンパーエビデント裾部１２の外周面の形態については、後に更に詳述する。
【００１２】
図示の実施形態においては、図２に明確に図示する如く、スカート壁６の主部１０の内周面には雌螺条２０が形成されている。かかる雌螺条２０には、周方向に適宜の間隔をおいて軸線方向に延びる切欠２２が形成されている。かかる切欠２２は容器の口頸部が開封される際の所謂通気路を構成する。主部１０の内周面下部には若干の軸線方向長さを有する円錐台形状部２４が配設されている。
【００１３】
タンパーエビデント裾部１２の内周面上部には下方を向いた環状肩面２６が形成され、タンパーエビデント裾部１２の内周面下部には下方を向いた環状肩面２８が形成されている。そして、環状肩面２６と環状肩面２８との間おいて、タンパーエビデント裾部１２の内周面には、半径方向内方に向かって上方に傾斜して突出する係止片３０が周方向に等間隔をおいて複数個形成されている。 
【００１４】
図２を参照することによって理解されるとおり、天面壁４の下面即ち内面の周縁部には、内側筒状シール片３２、環状当接片３４及び外側筒状シール片３６が形成されている。内側筒状シール片３２は、天面壁４の内面から下方に向かって半径方向外方に傾斜して延出し、次いで下方に向かって幾分半径方向内方に傾斜して延出している。環状当接片３４は、半径方向に見て内側筒状シール片３２の直ぐ外側に位置せしめられており、天面壁４の内面から下方及び半径方向外方に膨出せしめられた膨出部から構成されている。外側筒状シール片３６は内側筒状シール片３２から半径方向に所定距離離隔して配置されており、天面壁４の内面から下方に向かって半径方向外方に若干傾斜して延出している。図２と共に図３を参照することによって明確に理解される如く、天面壁４の内面中央部は周縁部に比べて比較的薄くせしめられており、補強のために中心に円形突起３８が配設され、そしてまたかかる円形突起３８から上記内側筒状シール片３２の基部まで放射状に延びる８個の突条４０が配設されている。
【００１５】
図１乃至図３を参照して説明を続けると、本発明に従って構成された容器蓋２においては、スカート壁６の外周面には周方向に間隔をおいて複数個の凹部４２が形成されており、かかる凹部４２の各々はスカート壁６の主部１０の上端部から周方向破断ライン８を越えてタンパーエビデント裾部１２まで軸線方向に延在せしめられていることが重要である。凹部４２は周方向に等間隔をおいて３個乃至１２個、特に４個乃至８個形成されているのが好ましい。図示の実施形態においては、周方向に等間隔をおいて６個の凹部４２が形成されており、凹部４２の各々は主部１０の上端部からタンパーエビデント裾部１２の下端部まで延びており、凹部４２の周方向幅は上端から下端まで実質上同一であり、隣接する凹部４２間の周方向間隔よりも幾分小さい。凹部４２の深さｔは、スカート壁６の厚さ或いは型抜きの容易性等を考慮して適宜に設定することができるが、一般に０．１０乃至０．８０ｍｍ程度であるのが好都合である。凹部４２の深さｔが過大になると、スカート壁６の強度が過小になる。一方、凹部４２の深さｔが過小であると、使用合成樹脂材料の低減量が僅かなものになる。図示の実施形態においては、図１及び図３を参照することによって明確に理解される如く、スカート壁６の主部１０における凹部４２以外の部位、即ち隣接する凹部４２間の部位には、従来の容器蓋のスカート壁における主部の外周面と同様に、軸線方向に延びる比較的小さい突条４４が周方向に間隔をおいて複数個配設されている。
【００１６】
更に、使用合成樹脂量を低減せしめるために、図示の実施形態においては、図２に図示する如く、タンパーエビデント裾部１２の内周面に形成されている複数個の係止片３０の各々の下面にも周方向に間隔をおいて２個の矩形凹部４６を形成している。所望ならば、係止片３０の各々の下面に１個或いは３個以上の凹部４６を形成することもできる。
【００１７】
図４には、容器蓋２と共にこの容器蓋２が適用される容器の一部も図示されている。ポリエチレンテレフタレートの如き適宜の合成樹脂或いはガラスから形成することができる容器は、全体として略円筒形状の口頸部４８を有する。上面が開口された口頸部４８の外周面には雄螺条５０及びこの雄螺条５０の下方に位置する環状係止あご部５２が形成されている。容器の口頸部４８に容器蓋２を装着して口頸部４８を密封する際には、口頸部４８に容器蓋２を被嵌して閉方向、即ち図４において上方から見て時計方向に所要回転トルクで回転せしめる。かくすると、口頸部４８の雄螺条５０に容器蓋２の雌螺条２０が漸次螺合され、容器蓋２は回転と共に下降せしめられる。タンパーエビデント裾部１２に形成されている係止片３０は半径方向外方に弾性的に変形せしめられて口頸部４８に形成されている係止あご部５２を乗り越え、次いで弾性的に復元して係止あご部５２に係止せしめられる。容器蓋２の天面壁４の内面に形成されている内側筒状シール片３２は口頸部４８の内周面上端部に密接せしめられて幾分半径方向内側に撓まされ、環状当接片３４は口頸部４８の上端面に当接せしめられて幾分圧縮され、外側筒状シール片３６は口頸部４８の外周面上端部に密接せしめられて半径方向外側に幾分撓まされ、かくして口頸部４８が密封される。
【００１８】
容器の口頸部４８を開封する際には、容器蓋２を開方向、即ち図４において上方から見て反時計方向に回転せしめる。かくすると、タンパーエビデント裾部１２は、その内周面に形成されている係止片３０が口頸部４８の外周面に形成されている係止あご部５２に係止せしめられている故に、上昇が阻止されるが、容器蓋２のその他の部分は、回転によって雄螺条５０に対する雌螺条２０の螺合が解除されるに応じて上昇せしめられる。従って、スカート壁６に形成されている周方向破断ライン８、更に詳しくはその橋絡部に相当な応力が生成されて橋絡部が破断され、タンパーエビデント裾部１２が主部１０から切り離される。しかる後においては、容器蓋２の、タンパーエビデント裾部１２以外の部分は回転と共に自由に上昇せしめられて口頸部４８から離脱され、かくして口頸部４８が開封される。図示の実施形態においては、口頸部４８を開封する際に周方向破断ライン８が周方向全周に渡って破断されてタンパーエビデント裾部１２が主部１０から完全に切り離され、タンパーエビデント裾部１２は口頸部４８から離脱されることなく口頸部４８に残留せしめられるが、所望ならば、周方向破断ライン８における橋絡部の少なくとも１個を破断されることなく維持され続ける強橋絡部にせしめると共に、タンパーエビデント裾部１２に軸線方向に延びる軸線方向破断ラインを形成し、口頸部４８を開封する際には軸線方向破断ラインが破断されてタンパーエビデント裾部１２が無端環状形態から有端帯状形態に展開され、破断されることなく維持される強橋絡部を介して主部１０に接続されているタンパーエビデント裾部１２も口頸部４８から離脱されるようにせしめることもできる。
【００１９】
本発明に従って構成された上述したとおりの容器蓋２については、次の事実が注目されるべきである。スカート壁６の外周面に複数個の凹部４２が形成されている故に、凹部４２が形成されていない場合に比べて凹部４２の容積分だけ、容器蓋２を成形するのに要する使用合成樹脂量が低減される。一方、スカート壁６の全体の厚さを均一に減少せしめて使用合成樹脂量を低減せしめる場合にはスカート壁６の強度が相当低下せしめられるが、周方向に間隔をおいて複数個の凹部４２を形成して使用合成樹脂量を低減せしめている故に、例えば天面壁４とスカート壁６との境界領域に加えられる衝撃等に対するスカート壁６の強度低下は充分に回避乃至抑制される。そしてまた、凹部４２は周方向に間隔をおいて形成されており、凹部４２間の領域においてはスカート壁６の外径に変化はなく、従って容器蓋２を容器の口頸部に装着する際に容器蓋２の外周面に係止せしめるべき係止手段等の構成要素は特に変更を加えることなく従来から使用されていた構成要素をそのまま使用することができる。また、周方向に間隔をおいて形成された凹部４２の存在に起因して、容器蓋２を開方向或いは閉方向に回転せしめるためにスカート壁６の外周面に指を掛けて時に、所謂把持感が改善され指の滑りが一層確実に防止される。加えて、図１を参照することによって理解される如く、凹部４２の存在に起因して、容器蓋２は従来の容器蓋とは趣を異にした斬新な外観を呈する。更に、同様に図１を参照することによって理解される如く、容器の口頸部に所要とおりに装着されている容器蓋２が不正に幾分か回転せしめられて、係止片３０によって口頸部に係止されているタンパーエビデント裾部１２に対して主部１０が幾分か相対的に回転せしめられると、凹部４２における主部１０に位置する部分とタンパーエビデント裾部１２に位置する部分とが周方向にずれることになり、タンパーエビデント裾部１２に対して主部１０が幾分か回転されたことが明瞭に示され、かくしてタンパーエビデント特性も改善される。
【００２０】
図５は、本発明に従って構成された容器蓋の他の実施形態を図示している。図５に図示する容器蓋１０２においては、スカート壁１０６の主部１１０の上端部からタンパーエビデント裾部１１２の下端部まで延在せしめられている凹部１４２の下部は周方向幅が漸次低減せしめられており、略半円形状にせしめられている。更に、図５に図示する容器蓋１０２においては、凹部１４２の各々にはその上端部から下端部まで周方向破断ライン１０８を跨って延在する比較的小さい突条１４３が周方向に間隔をおいて複数個、図示の場合は３個、配設されている。かかる突条１４３は、スカート壁１０６の外周面に掛けられる指の滑り防止を助長せしめると共に、スカート壁１０６の主部１１０がタンパーエビデント裾部１１２に対して幾分かでも回転せしめられた時に、下部が上部に対して周方向にずれることよってタンパーエビデント裾部１１２に対する主部１１０の回転を明瞭に示し、従ってタンパーエビデント特性を一層改善せしめる。図５に図示する容器蓋１０２の上述した構成以外の構成は図１乃至図４を参照して説明した容器蓋２と実質上同一である。
【００２１】
図６は、本発明に従って構成された容器蓋の更に他の実施形態を図示している。図６に図示する容器蓋２０２においては、スカ−ト壁２０６の外周面に凹部２４２を形成することに加えて、スカート壁２０６の主部２１０の内周面にも複数個の凹部２４５を形成している。かかる凹部２４５は、主部２１０の内周面における雌螺条２２０よりも下方に配置されている。スカート壁２０６の強度を過剰に低下せしめないために、凹部２４５はスカート壁２０６の外周面に形成されている凹部２４２に対して周方向に変位せしめて配置されており、凹部２４２と凹部２４５とが重なり合うことがないのが好都合である。図６に図示する容器蓋２０２の上述した構成以外の構成は図１及び図４を参照して説明した容器蓋２と実質上同一である。
【図面の簡単な説明】
【００２２】
【図１】本発明に従って構成された容器蓋の好適実施形態を示す正面図。
【図２】図１の容器蓋の、図３の線ＩＩ−ＩＩにおける縦断面図。
【図３】図１の容器蓋の、図２の線ＩＩＩ−ＩＩＩにおける横断面図。
【図４】図１の容器蓋を容器の口頸部に装着した状態を、一部を縦断面で示す正面図。
【図５】本発明に従って構成された容器蓋の他の実施形態の正面図。
【図６】本発明に従って構成された容器蓋の更に他の実施形態を示す、図２と同様の縦断面図。
【符号の説明】
【００２３】
２：容器蓋
４：天面壁
６：スカート壁
８：周方向破断ライン
１０：スカート壁の主部
１２：タンパーエビデント裾部
４２：凹部
４６：凹部
１０２：容器蓋
１０６：スカート壁
１０８：周方向破断ライン
１１０：スカート壁の主部
１１２：タンパーエビデント裾部
１４２：凹部
１４３：突条
２０２：容器蓋
２０６：スカート壁
２１０：スカート壁の主部
２４２：凹部
２４５：凹部
【図１】
2005320055.tif 000003
【図２】
2005320055.tif 000004
【図３】
2005320055.tif 000005
【図４】
2005320055.tif 000006
【図５】
2005320055.tif 000007
【図６】
2005320055.tif 000008